(57)【要約】      （修正有）【課題】レントゲン撮影やＣＴ撮影において、人工関節の摩耗具合を調べることができ、高分子材料の交換時期を容易に調べることができる装着具を提供する。【解決手段】大腿部に装着する第一の装具と、膝下部に装着する第二の装具と、第一の装具が大腿部に装着された場合に第一の装具を第二の装具方向に、第二の装具が膝下部に装着された場合に第二の装具を第一の装具方向にそれぞれ引っ張る引っ張り部材と、を有する装着具とする。なおこの場合において引っ張り部材は、第一の装具と第二の装具とを接続する弾性を備えたバンドであることが好ましい。【選択図】図１
0003164005.tif 000002
【実用新案登録請求の範囲】
【請求項１】
大腿部に装着する第一の装具と、
膝下部に装着する第二の装具と、
前記第一の装具が大腿部に装着された場合に前記第一の装具を前記第二の装具方向に、前記第二の装具が膝下部に装着された場合に前記第二の装具を前記第一の装具方向にそれぞれ引っ張る引っ張り部材と、を有する装着具。
【請求項２】
前記引っ張り部材は、前記第一の装具と前記第二の装具とを接続する弾性を備えたバンドである請求項１記載の装着具。
【請求項３】
前記引っ張り部材は、前記第一の装具に接続される第一の線材と、前記第一の線材を支える第一の支柱と、前記第一の線材に接続される第一の錘と、前記第二の装具に接続される第二の線材と、前記第二の線材を支える第二の支柱と、前記第二の線材に接続される第二の錘と、を有する請求項１記載の装着具。
【考案の詳細な説明】
【技術分野】
【０００１】
本発明は、ＣＴ撮影等の際、人間の足に装着する装着具に関する。
【背景技術】
【０００２】
人工関節の摺動面は、コバルトクロム合金やチタン合金等の合金と、超高分子量ポリエチレンといった高分子材料との組み合わせからなっており、長期間経過すると高分子材料が摩耗するため、交換する手術が必要となる。一般に、この高分子材料の交換時期を調べるため、レントゲン撮影やＣＴ撮影が用いられる。
【考案の概要】
【考案が解決しようとする課題】
【０００３】
しかしながら、単純にレントゲン撮影やＣＴ撮影を行っただけではポリエチレンの明瞭な画像を得ることは容易でない。また、ＭＲＩでも金属によるアーチファクトが生じるため明瞭な画像を得ることは容易でない。
【０００４】
そのため、高分子材料の摩耗の程度を明確に判定することは難しく、仮に摩耗を見逃して高分子材料が摩耗してしまうと金属が摩耗して人工関節をすべて取り換えなければならないといった問題がある。
【０００５】
そこで、本考案は、レントゲン撮影やＣＴ撮影において高分子材料の交換時期を容易に調べることができる装着具を提供することを目的とする。
【課題を解決するための手段】
【０００６】
上記目的を達成するための本考案の一観点に係る装着具は、（１）大腿部に装着する第一の装具と、（２）膝下部に装着する第二の装具と、（３）第一の装具が大腿部に装着された場合に第一の装具を第二の装具方向に、第二の装具が膝下部に装着された場合に第二の装具を第一の装具方向にそれぞれ引っ張る引っ張り部材と、を有する。
【考案の効果】
【０００７】
以上、本考案によると、レントゲン撮影やＣＴ撮影において高分子材料の交換時期を容易に調べることができる装着具を提供することができる。
【図面の簡単な説明】
【０００８】
【図１】実施形態１に係る装着具の概略を示す図である。
【図２】第一の装着具の他の例を示す図である。
【図３】第二の装着具の他の例を示す図である。
【図４】引っ張り部材の他の例を示す図である。
【考案を実施するための最良の形態】
【０００９】
以下、本考案を実施するための考案について、図面を用いて詳細に説明する。なお、本考案は、多くの異なる形態による実施が可能であって、以下に示す実施形態、実施例の例示にのみ限定されるわけではない。
【００１０】
図１は、本実施形態に係る装着具の概略図である。本図が示すとおり本装着具１は、大腿部に装着する第一の装具２と、膝下部に装着する第二の装具３と、第一の装具が大腿部に装着された場合に第一の装具を第二の装具方向に、第二の装具が膝下部に装着された場合に第二の装具を第一の装具方向にそれぞれ引っ張る引っ張り部材４と、を有する。
【００１１】
本実施形態において、第一の装具２は、上記のとおり大腿部に装着し、固定できるものであり、例えばテープが付され人間の大腿部周囲に巻きとめることができる布製のものであってもよく、また、図２の例で示すように開閉自在のリング状であって大腿部を配置した後閉じて金具を占めて固定することのできるプラスチック製のものであってもよい。
【００１２】
本実施形態において、第二の装具３は、上記のとおり膝下部に装着し、固定できるものであり、例えばテープが付され人間のふくらはぎや足首の周囲に巻きとめることができる布製のものであってもよく、また、図３で示すように、ふくらはぎ又は足首から踵までの形に合わせたくぼみが形成されたプラスチック製のものであってもよい。すなわち本明細書でいう「膝下部」とは足のうち膝から下の部分であって、ふくらはぎからつま先までの部分を含むものである。
【００１３】
本実施形態において、引っ張り部材４は、上記のとおり、第一の装具２が大腿部に装着された場合に第一の装具２を第二の装具３の方向に、第二の装具３が膝下部に装着された場合に第二の装具３を第一の装具２の方向にそれぞれ引っ張ることができるものである。このようにすることで、大腿部と膝下部双方から膝関節が圧力を受け、人工関節の高分子材料を合金部分、骨部分に押し当てることができるようになる。この結果、高分子材料の部分が明確となり、摩耗の具合を容易に観察することができるようになる。
【００１４】
引っ張り部材４は、上記の機能を有する限りにおいて様々な形態を採用することができる。図１の例で示す引っ張り部材は、第一の装具２と第二の装具３とを接続する弾性を備えたバンドである。弾性を備えたバンド４１とすることで、第一の装具２と第二の装具３との間の圧縮力を生じさせることができる。なお、弾性を備えたバンドの例としては、例えばゴムバンドであることは好ましい一例である。
【００１５】
一方、は、引っ張り部材の他の例を示すものである。本図で示す引っ張り部材４は、第一の装具に接続される第一の線材４１１と、第一の線材を支える第一の支柱４１２と、第一の線材に接続される第一の錘４１３と、第二の装具に接続される第二の線材４２１と、第二の線材を支える第二の支柱４２２と、第二の線材に接続される第二の錘４２３と、を有する。この場合、第一の支柱４１２、第二の支柱４２２は、患者の足を載せる台４３に対し固定して配置する、より具体的には、第一の支柱４１２は、第一の装具２及び第二の装具３が装着された場合に、第二の装具側に固定され、第二の支柱４２２は、第一の装具２及び第二の装具３が装着された場合に、第一の装具２側に固定されていることが好ましい。
【００１６】
以上、本実施形態に係る装着具によると、レントゲン撮影やＣＴ撮影において高分子材料の交換時期を容易に調べることができる装着具を提供することができる。
【実施例】
【００１７】
ここで、実際に上記実施形態に係る装着具を作製し、その効果を確認した。
【００１８】
まず、二本のゴムバンドを準備し引っ張り部材とした。一方、幅５ｃｍ、長さ５０ｃｍの布を準備し、その両端に面ファスナーを貼り付け、第一の装具とした。またふくらはぎから足首、かかとを覆うブーツを作製し、第二の装具とした。そして第一の装具と第二の装具の間をゴムバンドで接続し、装着具とした。
【００１９】
そしてこの装着具を人工関節手術を行い２２年経過した患者に対し、ＣＴ撮影を行い、ＣＴデータを取得した。
【００２０】
この結果、外側、後方のポリエチレン（高分子材料）が２．１ｍｍまで減少していることが確認でき、ｍｍ単位で高分子材料の摩耗具合を判断することができることを確認した。
【産業上の利用可能性】
【００２１】
本考案は、人工関節の摩耗具合を調べることのできる装着具として産業上の利用可能性がある。
【符号の説明】
【００２２】
１…装着具、２…第一の装具、３…第二の装具、４…引っ張り部材
【図１】
0003164005.tif 000003
【図２】
0003164005.tif 000004
【図３】
0003164005.tif 000005
【図４】
0003164005.tif 000006